(57)【要約】【課題】土台の上面の座堀部に座金付きナットを締着させた際に、座金部の下面を座堀部に隙間なく密着させて、アンカーボルトに十分な引張り力を付与できるナット締着具を提供する。【解決手段】土台３１に形成された貫通穴３１ａに配設されたアンカーボルト３２に螺着される、筒状ナット部２２と座金部２１とからなる座金付きナット２０の座金部２１を、土台３１の上面に突出させることなく締着させるための、回転基盤部１１を備えるナット締着具１０であって、座金付きナット２０の座金部２１には、回転基盤部１１を係合させる貫通係合部２３，２４が形成されている。回転基盤部１１には、下面部から下方に突出して、貫通係合部２３，２４に係合される切削係合突起１２，１３が、貫通係合部２３，２４と対応する位置に設けられている。回転基盤部１１には、外周部分から下方に突出して、土台３１の上面に当接させる当接凸部１５が設けられている。【選択図】図１
2015193064.tif 000002
【特許請求の範囲】
【請求項１】
木製構造材に貫通形成された貫通穴に配設された緊結ボルトに螺着される、筒状ナット部と座金部とからなる座金付きナットの座金部を、木製構造材の表面に突出させることなく締着させるための、回転基盤部を備えるナット締着具であって、
前記座金付きナットには、前記座金部に、前記回転基盤部を係合させる貫通係合部が複数箇所に形成されており、
前記回転基盤部には、前記座金部が装着される側の下面部から下方に突出して、前記貫通係合部に各々係合される複数の切削係合突起が、前記貫通係合部と対応する位置に設けられていると共に、前記座金部が装着される側と反対側の上面部に、インパクトレンチ等の回転工具に連結される連結係合部が設けられており、
且つ前記回転基盤部には、前記下面部における前記座金部の装着領域の外周部分から下方に突出して、前記木製構造材の表面に当接させる当接凸部が、周方向に連続して、又は断続して設けられており、
前記切削係合突起は、前記座金部の前記貫通係合部の貫通長さよりも長い長さで突出していることで、前記貫通係合部に挿入係合された際に、先端の切削刃が、前記座金部の下面よりも下方に突出可能となっており、
前記当接凸部は、前記切削係合突起よりも短い長さで突出していることで、前記当接凸部の先端と前記切削係合突起の先端との間に、前記座金部の厚さ以上の高低差が保持されているナット締着具。
【請求項２】
前記回転基盤部は、前記座金付きナットの座金部よりも一回り小さな平面形状を備えるように形成されており、前記当接凸部は、前記回転基盤部よりも外側に張り出した状態で設けられている請求項１記載のナット締着具。
【請求項３】
木製構造材に貫通形成された貫通穴に配設された緊結ボルトに螺着される、筒状ナット部と座金部とからなる座金付きナットの座金部を、ナット締着具を用いて、木製構造材の表面に突出させることなく締着させるための座金付きナットの締着方法であって、
前記座金付きナットには、前記座金部に、前記ナット締着具の回転基盤部を係合させる貫通係合部が複数箇所に形成されており、
前記ナット締着具は、インパクトレンチ等の回転工具に連結される連結係合部と、前記回転工具による駆動力によって回転する前記回転基盤部とを備えており、該回転基盤部には、前記座金部が装着される側の下面部から下方に突出して、前記貫通係合部に各々係合される複数の切削係合突起が、前記貫通係合部と対応する位置に設けられており、
前記切削係合突起を前記貫通係合部に挿入係合して、前記座金部を前記回転基盤部に装着した状態で、前記座金部の下面から下方に突出させた、前記回転基盤部の前記切削係合突起の先端の切削刃によって、前記木製構造材の表面を切削しながら、前記座金付きナットを回転させつつ前記筒状ナット部を前記緊結ボルトに螺着させる工程と、
前記座金部が前記木製構造材の表面から突出しなくなる深さまで前記切削刃によって前記木製構造材の表面を切削した後に、前記回転基盤部の下方への移動をストップさせて、前記座金付きナットのみを下方に移動させながら、前記座金付きナットを回転させつつ前記筒状ナット部を前記緊結ボルトに螺着させることで、前記座金部を、前記木製構造材の表面から突出させることなく、前記切削刃によって切削された座堀部の底面に締着させる工程とを含む座金付きナットの締着方法。
【請求項４】
前記座金部が前記木製構造材の表面から突出しなくなる深さまで前記切削刃によって前記木製構造材の表面を切削した後に、前記回転基盤部の前記座金部が装着される側の下面部における、前記座金部の装着領域の外周部分から下方に突出して、周方向に連続して、又は断続して設けられた当接凸部を、前記木製構造材の表面に当接させることで、前記回転基盤部の下方への移動をストップさせる請求項３記載の座金付きナットの締着方法。
【請求項５】
前記座金部が前記木製構造材の表面から突出しなくなる深さまで前記切削刃によって前記木製構造材の表面を切削した後に、前記ナット締着具が連結される前記回転工具の外周面から延設して取り付けられたストッパー部を、前記木製構造材の表面に当接させることで、前記回転基盤部の下方への移動をストップさせる請求項３記載の座金付きナットの締着方法。
【発明の詳細な説明】
【技術分野】
【０００１】
本発明は、ナット締着具及び座金付きナットの締着方法に関し、特に、緊結ボルトに螺着される座金付きナットの座金部を、木製構造材の表面に突出させることなく締着させるためのナット締着具及び座金付きナットの締着方法に関する。
【背景技術】
【０００２】
例えば木造の住宅建築物等の建物においては、鉄筋コンクリート製の基礎の上に、建物の骨組み構造を構成する木製構造材である土台を固定する場合、複数本のアンカーボルトを緊結ボルトとして、これのボルト部にナット部材を螺着することにより土台の上面に締着させて、土台を基礎に一体として接合する方法が採用されている。すなわち、アンカーボルトは、下部を基礎の中に埋設して、基礎の上端面からボルト部を上方に突出させた状態で取り付けらており、土台には、アンカーボルトの取り付け位置と対応する部分に、複数の貫通穴が形成されている。これらの貫通穴に、アンカーボルトのボルト部を挿通して、挿通したボルト部の上端部分にナット部材を螺着して土台の上面に締着させることによって、土台を基礎に固定するようになっている。
【０００３】
一方、近年、例えば木造の住宅建築物等においては、建物の高気密化や高断熱化が図られている。このため、例えば断熱材を土台の上に密着させて取り付ける必要があることから、土台の上面からアンカーボルトのボルト部やナット部材を突出させることなく土台を基礎に固定させて、断熱材を土台の上に密着させることを可能にする、土台の固定方法や固定具が種々開発されている（例えば、特許文献１、特許文献２参照）。
【０００４】
これらの特許文献に記載された土台の固定方法や固定具では、筒状ナット部と座金部とからなる座金付きナットの座金部や、座金付きナットを回転させて土台の上面に締着させる固定具（締着具）には、切削刃が設けられており、これらの切削刃によって土台の上面を切削しながら、座金付きナットを回転させつつ土台の貫通穴に向けて押し込むことで、筒状ナット部をアンカーボルトのボルト部に螺着させ、且つ土台の上面を切削することにより形成された座堀部の底面に座金部を締着させることによって、アンカーボルトのボルト部や座金付きナットを土台の上面から突出させることなく、土台を基礎に固定できるようになっている。
【先行技術文献】
【特許文献】
【０００５】
【特許文献１】特許第３７４０２４６号公報
【特許文献２】特許第４０３６５５１号公報
【発明の概要】
【発明が解決しようとする課題】
【０００６】
しかしながら、特許文献１や特許文献２に記載された土台の固定方法や固定具では、土台の上面に形成された座堀部の底面に座金付きナットが締着されるまで、切削刃が座金部の下面から突出したままの状態となっているので、座金付きナットを十分に締め付けて締着させた後においても、切削刃から離れた部分においては、座堀部の底面と座金部の下面との間には僅かな隙間が生じていることになる。また特に、座金付きナットを回転させて締着させる締着具に、座金部の下面から突出する切削刃が設けられている場合には、締着具を切削刃と共に座金付きナットから取り外した際に、座堀部の底面と座金部の下面との間には、略全体に亘って隙間が生じることになる。座堀部の底面と座金部の下面との間に隙間が生じていると、座金付きナットの土台への締着による引張り力（テンション）を、アンカーボルトに十分に付与することができなくなって、例えば土台が痩せた際に、緩みを発生させる要因となる。
【０００７】
本発明は、土台等の木製構造材の表面に形成された座堀部に座金付きナットを締着させた際に、座堀部の底面と座金部の下面とを隙間なく密着させることを可能にして、アンカーボルト等の緊結ボルトに十分な引張り力を付与することのできるナット締着具及び座金付きナットの締着方法を提供することを目的とする。
【課題を解決するための手段】
【０００８】
本発明は、木製構造材に貫通形成された貫通穴に配設された緊結ボルトに螺着される、筒状ナット部と座金部とからなる座金付きナットの座金部を、木製構造材の表面に突出させることなく締着させるための、回転基盤部を備えるナット締着具であって、前記座金付きナットには、前記座金部に、前記回転基盤部を係合させる貫通係合部が複数箇所に形成されており、前記回転基盤部には、前記座金部が装着される側の下面部から下方に突出して、前記貫通係合部に各々係合される複数の切削係合突起が、前記貫通係合部と対応する位置に設けられていると共に、前記座金部が装着される側と反対側の上面部に、インパクトレンチ等の回転工具に連結される連結係合部が設けられており、且つ前記回転基盤部には、前記下面部における前記座金部の装着領域の外周部分から下方に突出して、前記木製構造材の表面に当接させる当接凸部が、周方向に連続して、又は断続して設けられており、前記切削係合突起は、前記座金部の前記貫通係合部の貫通長さよりも長い長さで突出していることで、前記貫通係合部に挿入係合された際に、先端の切削刃が、前記座金部の下面よりも下方に突出可能となっており、前記当接凸部は、前記切削係合突起よりも短い長さで突出していることで、前記当接凸部の先端と前記切削係合突起の先端との間に、前記座金部の厚さ以上の高低差が保持されているナット締着具を提供することにより、上記目的を達成したものである。
【０００９】
本発明のナット締着具は、前記回転基盤部が、前記座金付きナットの座金部よりも一回り小さな平面形状を備えるように形成されており、前記当接凸部は、前記回転基盤部よりも外側に張り出した状態で設けられていることが好ましい。
【００１０】
また、本発明は、木製構造材に貫通形成された貫通穴に配設された緊結ボルトに螺着される、筒状ナット部と座金部とからなる座金付きナットの座金部を、ナット締着具を用いて、木製構造材の表面に突出させることなく締着させるための座金付きナットの締着方法であって、前記座金付きナットには、前記座金部に、前記ナット締着具の回転基盤部を係合させる貫通係合部が複数箇所に形成されており、前記ナット締着具は、インパクトレンチ等の回転工具に連結される連結係合部と、前記回転工具による駆動力によって回転する前記回転基盤部とを備えており、該回転基盤部には、前記座金部が装着される側の下面部から下方に突出して、前記貫通係合部に各々係合される複数の切削係合突起が、前記貫通係合部と対応する位置に設けられており、前記切削係合突起を前記貫通係合部に挿入係合して、前記座金部を前記回転基盤部に装着した状態で、前記座金部の下面から下方に突出させた、前記回転基盤部の前記切削係合突起の先端の切削刃によって、前記木製構造材の表面を切削しながら、前記座金付きナットを回転させつつ前記筒状ナット部を前記緊結ボルトに螺着させる工程と、前記座金部が前記木製構造材の表面から突出しなくなる深さまで前記切削刃によって前記木製構造材の表面を切削した後に、前記回転基盤部の下方への移動をストップさせて、前記座金付きナットのみを下方に移動させながら、前記座金付きナットを回転させつつ前記筒状ナット部を前記緊結ボルトに螺着させることで、前記座金部を、前記木製構造材の表面から突出させることなく、前記切削刃によって切削された座堀部の底面に締着させる工程とを含む座金付きナットの締着方法を提供することにより、上記目的を達成したものである。
【００１１】
本発明の座金付きナットの締着方法は、前記座金部が前記木製構造材の表面から突出しなくなる深さまで前記切削刃によって前記木製構造材の表面を切削した後に、前記回転基盤部の前記座金部が装着される側の下面部における、前記座金部の装着領域の外周部分から下方に突出して、周方向に連続して、又は断続して設けられた当接凸部を、前記木製構造材の表面に当接させることで、前記回転基盤部の下方への移動をストップさせることが好ましい。
【００１２】
また、本発明の座金付きナットの締着方法は、前記座金部が前記木製構造材の表面から突出しなくなる深さまで前記切削刃によって前記木製構造材の表面を切削した後に、前記ナット締着具が連結される前記回転工具の外周面から延設して取り付けられたストッパー部を、前記木製構造材の表面に当接させることで、前記回転基盤部の下方への移動をストップさせることが好ましい。
【発明の効果】
【００１３】
本発明のナット締着具又は座金付きナットの締着方法によれば、土台等の木製構造材の表面に形成された座堀部に座金付きナットを締着させた際に、座堀部の底面と座金部の下面とを隙間なく密着させることを可能にして、アンカーボルト等の緊結ボルトに十分な引張り力を付与することができる。
【図面の簡単な説明】
【００１４】
【図１】（ａ）、（ｂ）は、本発明の好ましい一実施形態に係るナット締着具及び座金付きナットの締着方法を説明する略示斜視図である。
【図２】（ａ）〜（ｅ）は、座金付きナットの締着方法の各工程の説明図である。
【図３】座金付きナットを例示する、（ａ）は（ｂ）のＡ−Ａに沿った縦断面図、（ｂ）は（ａ）を下方から視た下面図である。
【図４】ナット締着具の他の好ましい形態を例示する説明図である。
【図５】他の座金付きナットの締着方法を例示する説明図である。
【図６】（ａ）〜（ｃ）は、他の座金付きナットの締着方法を例示する説明図である。
【発明を実施するための形態】
【００１５】
本発明の好ましい一実施形態に係るナット締着具１０及び座金付きナットの締着方法は、図１及び図２（ａ）〜（ｅ）に示すように、例えば木造の住宅建築物において、骨組み構造を構成する木製構造材として、例えば鉄筋コンクリート製の基礎３０の上に設置される土台３１を、緊結ボルトである複数本のアンカーボルト３２を用いて固定する際に、基礎３０の上端面から上方に突出させたアンカーボルト３２のボルト部３２ａに螺着した座金付きナット２０を、土台３１の上面に強固に且つ安定した状態で締着させるための器具や方法として用いられる。すなわち、本実施形態では、アンカーボルト３２は、下部を基礎３０の中に埋設して、基礎３０の上端面からボルト部３２ａを上方に突出させた状態で取り付けらており、土台３１には、アンカーボルト３２の取り付け位置と対応する部分に、複数の貫通穴３１ａが形成されている。これらの貫通穴３１ａに、アンカーボルト３２のボルト部３２ａを挿通し、挿通したボルト部３２ａの上端部分に座金付きナット２０を螺着して土台３１の上面に締着させることによって、基礎３０の上端面に土台３１を固定するようになっている。
【００１６】
また、本実施形態では、ナット締着具１０に設けられた切削係合突起１２，１３の先端の切削刃１２ａ，１３ａを、座金付きナット２０の座金部２１の下面から突出させた状態で、座金付きナット２０を回転させつつ、アンカーボルト３２のボルト部３２ａが配設された土台３１の貫通穴３１ａに向けて押し込むことで、座金付きナット２０をボルト部３２ａに螺着させながら土台３１の上面に座堀部３３を形成すると共に、形成した座堀部３３において、座金付きナット２０を、土台３１の上面から突出させることなく土台３１に締着させるようになっている。さらに、本実施形態では、座金部２１を座堀部３３の底面３３ａに強固に密着させた状態で、座金付きナット２０を土台３１に締着させることを可能にして、アンカーボルトに十分な引張り力（テンション）を付与した状態で、基礎３０の上端面に土台３１を固定できるようになっている。
【００１７】
そして、本実施形態のナット締着具１０は、図１及び図２（ａ）〜（ｅ）に示すように、土台３１に貫通形成された貫通穴３１ａに配設されたアンカーボルト３２に螺着される、筒状ナット部２２と座金部２１とからなる座金付きナット２０の座金部２１を、土台３１の上面（表面）に突出させることなく締着させるための、回転基盤部１１を備える締付け用の器具であって、座金付きナット２０には、座金部２１に、回転基盤部１１を係合させる貫通係合部２３，２４が複数箇所に形成されており、回転基盤部１１には、座金部２１が装着される側の下面部から下方に突出して、貫通係合部２３，２４に各々係合される複数の切削係合突起１２，１３が、貫通係合部２３，２４と対応する位置に設けられていると共に、座金部２１が装着される側と反対側の上面部に、インパクトレンチ等の回転工具５０（図７参照）に連結される連結係合部１４が設けられている。
【００１８】
また、回転基盤部１１には、下面部における座金部２１の装着領域の外周部分から下方に突出して、土台３１の上面（表面）に当接させる当接凸部１５が、周方向に連続して、又は断続して設けられており、切削係合突起１２，１３は、座金部２１の貫通係合部２３，２４の貫通長さよりも長い長さで突出していることで、貫通係合部２３，２４に挿入係合された際に、先端の切削刃１２ａ，１３ａが、座金部２１の下面よりも下方に突出可能となっており、当接凸部１５は、切削係合突起１２，１３よりも短い長さで突出していることで、当接凸部１５の先端と切削係合突起１２，１３の先端との間に、座金部２１の厚さ以上の高低差が保持されている。
【００１９】
なお、上述の記載内容及び後述する記載内容おいて、ナット締着具１０の回転基盤部１１の下面や、座金付きナット２０の座金部２１の下面は、ナット締着具１０や座金付きナット２０を緊結ボルト３２に向けて押し込む際に、木製構造材３１と対向させる側の面を意味するものであり、例えば座金付きナット２０を木製構造材３１の下面に締着させる場合には、回転基盤部１１の上面や座金付きナット２０の上面を、切削係合突起１２，１３や切削刃１２ａ，１３ａが突出する側の面である下面とすることができる。
【００２０】
そして、本実施形態の座金付きナットの締着方法は、土台３１に貫通形成された貫通穴３１ａに配設されたアンカーボルト３２のボルト部３２ａに螺着される、筒状ナット部２２と座金部２１とからなる座金付きナット２０の座金部２１を、ナット締着具１０を用いて、土台３１の上面（表面）に突出させることなく締着させるための締着方法であって、座金付きナット２０には、座金部２１に、ナット締着具１０の回転基盤部１１を係合させる貫通係合部２３，２４が複数箇所に形成されており、ナット締着具１０は、インパクトレンチ等の回転工具５０（図７参照）に連結される連結係合部１４と、回転工具５０による駆動力によって回転する回転基盤部１１とを備えており、回転基盤部１１には、座金部２１が装着される側の下面部から下方に突出して、貫通係合部２３，２４に各々係合される複数の切削係合突起１２，１３が、貫通係合部２３，２４と対応する位置に設けられており、切削係合突起１２，１３を貫通係合部２３，２４に挿入係合して、座金部２１を回転基盤部１１に装着した状態で（図２（ａ）、（ｂ）参照）、座金部２１の下面から下方に突出させた、回転基盤部１１の切削係合突起１２の先端の切削刃１２ａによって、土台３１の上面を切削しながら、座金付きナット２０を回転させつつ筒状ナット部２２をアンカーボルト３２のボルト部３２ａに螺着させる工程と（図２（ｂ）、（ｃ）参照）、座金部２１が土台３１の上面から突出しなくなる深さまで切削刃１２ａによって土台３１の上面を切削した後に（図２（ｃ）参照）、回転基盤部１１の下方への移動をストップさせて、座金付きナット２０のみを下方に移動させながら、座金付きナット２０を回転させつつ筒状ナット部２２をアンカーボルト３２のボルト部３２ａに螺着させることで、座金部２１を、土台３１の上面から突出させることなく、切削刃１２ａ、１３ａによって切削された座堀部３３の底面３３ａに締着させる工程とを含んでいる（図２（ｄ）、（ｅ）参照）。
【００２１】
さらに、本実施形態では、座金部２１が土台３１の上面（表面）から突出しなくなる深さまで切削刃１２ａ，１３ａによって土台３１の表面を切削した後に、回転基盤部１１の座金部２１が装着される側の下面部における、座金部２１の装着領域の外周部分から下方に突出して、周方向に連続して、又は断続して設けられた当接凸部１５を、土台３１の上面に当接させることで、回転基盤部１１の下方への移動をストップさせるようになっている。
【００２２】
本実施形態では、図１（ａ）、（ｂ）に示すように、土台３１が固定される鉄筋コンクリート製の基礎３０は、例えばべた基礎の立上り部であって、鉄筋が配筋された型枠の内部にコンクリートを打設することによって、容易に形成することができる。型枠を組み付ける際に、基礎３０の延設方向に所定のピッチで複数のアンカーボルト３２を配置することで、打設されたコンクートにアンカーボルト３２の下部を埋設させた状態で、ボルト部３２ａが、基礎３０の上端面から上方に突出して、所定の間隔をおいて複数箇所に取り付けられる。これらのアンカーボルト３２のボルト部３２ａは、基礎３０の上端面から、土台３１の高さと同じか、又はこれよりも僅かに低い高さで突出して設けられている。これによって、ボルト部３２ａを貫通穴３１ａに挿通して、土台３１を基礎３０の上端面に設置した際に、ボルト部３２ａの先端が、土台３１の上面から上方に突出しないようになっている。
【００２３】
基礎３０の上端面に固定される土台３１は、好ましくは正方形の断面形状を備える木製の角材である。土台３１には、アンカーボルト３２の取り付け位置と対応する箇所として、これの長手方向にアンカーボルト３２のボルト部３２ａのピッチと同様の中心間ピッチで配置されて、複数の貫通穴３１ａが貫通形成されている。これらの貫通穴３１ａは、座金付きナット２０の筒状ナット部２２の外径よりも一回り大きな内径を備えるように形成されている。これによって、座金付きナット２０の筒状ナット部２２を、貫通穴３１ａの中空内部において、アンカーボルト３２のボルト部３２ａにスムーズに螺着することができるようになっている。
【００２４】
アンカーボルト３２のボルト部３２ａに螺着される座金付きナット２０は、上述のように、筒状ナット部２２と座金部２１とからなる。筒状ナット部２２は、図１（ａ）、（ｂ）及び図３（ａ）、（ｂ）に示すように、土台３１に形成された貫通穴３１ａの内径よりも一回り小さな外径を備える中空円筒形状の部分であって、これの内側には、アンカーボルト３２のボルト部３２に設けられた雄ネジ部と同様のネジ径を有する、雌ネジ部が形成されている。筒状ナット部２２の上端部から外側に張り出すようにして、座金部２１が、一体として接合されて設けられている。
【００２５】
座金部２１は、本実施形態では、筒状ナット部２２と同心円状に配置されて設けられた、円盤形状を備える部分であって、これの中央部分に、筒状ナット部２２の中空内部と連通する連通口２１ａが開口していると共に、連通口２１ａよりも径方向外側部分に、ナット締着具１０の切削係合突起１２，１３を挿通させて係合させる複数の貫通係合部２３，２４が、各々複数箇所（本第１実施形態では、第１貫通係合部２３及び第２貫通係合部２４が、２箇所ずつ合計４箇所）に形成されている。座金部２１の下面は、切削刃の無い平滑な面となっている。
【００２６】
本実施形態では、座金部２１の径方向内側に配置される一対の第１貫通係合部２３は、略矩形の断面形状を備える貫通穴となっており、長手方向を径方向に沿わせて配置して、連通口２１ａを挟んだ両側に各々設けられている。径方向外側に配置される一対の第２貫通係合部２４は、座金部２１の周縁部から径方向内側に向けて切り欠かれた、略コの字の断面形状を備える切欠き貫通穴となっており、切欠き方向を、一対の第１貫通係合部２３が配置された径方向とは垂直な径方向に沿わせて配置して、連通口２１ａを挟んだ両側に各々設けられている。
【００２７】
また、これらの第１貫通係合部２３と第２貫通係合部２４とは、筒状ナット部２２の回転に伴って第１貫通係合部２３が回転する際の径方向外側の縁部の回転軌跡２３ａと、第２貫通係合部２４が回転する際の径方向内側の縁部の回転軌跡２４ａとが、重なるように形成されている。これによって、これらの第１貫通係合部２３や第２貫通係合部２４に、ナット締着具１０の切削係合突起１２，１３を挿通させて、先端の切削刃１２ａ，１３ａによって土台３１の上面を切削する際に、筒状ナット部２２の外側領域における座金部２１の下面と対向する部分の全体を、むらなく略均等に切削させて、座金部２１を形成することが可能になる。
【００２８】
座金付きナット２０を土台３１の上面に締着させるナット締着具１０は、上述のように、回転基盤部１１と、切削係合突起１２，１３と、連結係合部１４と、当接凸部１５とを含んで形成されている。回転基盤部１１は、座金付きナット２０の座金部２１よりも一回り大きな直径の、円盤形状を備える部分であって、これの平坦な下面から垂直下方に突出して、複数の切削係合突起１２，１３が設けられている。また、回転基盤部１１における、座金付きナット２０の座金部２１よりも一回り大きくなった領域である外周縁部分から下方に突出して、当該外周縁部分に沿って円弧形状に延設する、一対の壁板状の当接凸部１５が、対向配置されて設けられている。一対の壁板状の当接凸部１５によって囲まれる、これらの内側部分が、座金付きナット２０の座金部２１を装着させる装着領域となっている。
【００２９】
回転基盤部１１の下面から下方に突出する切削係合突起１２，１３は、本第１実施形態では、座金付きナット２０の座金部２１に形成された第１貫通係合部２３と対応する位置として、回転基盤部１１の径方向内側に配置された一対の第１切削係合突起１２と、第２貫通係合部２４と対応する位置として、回転基盤部１１の径方向外側に配置された一対の第２切削係合突起１３とからなる。第１切削係合突起１２は、第１貫通係合部２３に挿通可能な大きさの、第１貫通係合部２３と同様の略矩形の断面形状を備える棒状突起となっており、断面の長手方向を径方向に沿わせて配置して、回転基盤部１１の中央部分を挟んだ両側に各々設けられている。第２切削係合突起１２は、第２貫通係合部２４に挿通可能な大きさの、略矩形の断面形状を備える棒状突起となっており、断面の長手方向を、一対の第１切削係合突起１２が配置された径方向とは垂直な径方向に沿わせて配置して、回転基盤部１１の中央部分を挟んだ両側に各々設けられている。
【００３０】
また、第１切削係合突起１２及び第２切削係合突起１３は、その先端に切削刃１２ａ，１３ａを備えると共に、座金部２１における貫通係合部２３，２４の貫通長さに相当する、座金付きナット２０の座金部２１の厚さよりも、大きな突出長さで、回転基盤部１１の下面から下方に突出して設けられている。これによって、第１切削係合突起１２及び第２切削係合突起１３を、第１貫通係合部２３や第２貫通係合部２４に各々挿通し、且つ回転基盤部１１の下面に座金部２１の上面を当接させて、当接凸部１５の内側部分の装着領域に座金付きナット２０の座金部２１を装着した際に、少なくとも切削刃１２ａ，１３ａの刃先を座金部２１の下面から下方に突出させることで、ナット締着具１０及び座金付きナット２０を回転させながら、土台３１の上面を切削できるようになっている。
【００３１】
回転基盤部１１の外周縁部分から下方に突出して設けられた当接凸部１５は、上述のように、外周縁部分に沿って円弧形状に延設する、一対の壁板状の部分となっている。一対の当接凸部１５は、これらの両側の端部の間に、切削屑を排出口となる切欠き部分１６を各々形成して、断続させた状態で、径方向に対向配置されて設けられている。一対の切欠き部分１６に臨むようにして、一対の第２切削係合突起１３が各々配置されている。当接凸部１５の円弧形状の先端面１５ａは、平滑な面となっており、これによって、当接凸部１５の先端面１５ａを土台３１の上面に当接させて、回転基盤部１１の下方への移動をストップさせた後に、回転基盤部１１をさらに回転させて座金付きナット２０を締め付ける際に、当接凸部１５を土台３１の上面に沿ってスムーズに回転させることが可能になる。
【００３２】
また、本実施形態では、当接凸部１５は、回転基盤部１１の平坦な下面から、切削係合突起１２，１３よりも短い長さで突出していることで、当接凸部１５の先端と切削係合突起１２，１３の先端との間には、座金付きナット２０の座金部２１の厚さ以上の高低差が保持されるようになっている。これによって、回転基盤部１１の下方への移動がストップするまで、座金部２１の下面に突出させた切削係合突起１２，１３の切削刃１２ａ，１３ａにより土台３１の上面を切削した際に、土台３１の上面から座金部２１が突出しなくなる深さまで座堀部３３を切削すること可能になって、土台３１の上面から突出させることなく、座金部２１を座堀部３３の底面３３ａに締着させることが可能になる。
【００３３】
回転基盤部１１の切削係合突起１２，１３や当接凸部１５が突出する側と反対側の上面部に設けられた連結係合部１４は、インパクトレンチ等の回転工具５０にナット締着具１０を着脱可能に、且つ回転可能に連結する機能を有する公知の部分であって、例えば４角形又は６角形の断面形状を有する回転軸部や、回転工具５０への着脱機構等を備えている。
【００３４】
上述の構成を備える本実施形態のナット締着具１０を用いて、土台３１に形成された貫通穴３１ａに配設されたアンカーボルト３２のボルト部３２ａに座金付きナット２０を螺着することで、座金付きナット２０の座金部２１を土台３１の上面に締着するには、インパクトレンチ等の回転工具５０（図示せず）に連結係合部１４を介してナット締着具１０を連結した状態で、図２（ａ）〜（ｅ）に示すように、例えば作業員の手作業によって筒状ナット部２２の下端部をボルト部３２ａの上端部に僅かに螺着させることにより、座金部２１の下面を土台３１の上面と離間させて立設させた座金付きナット２０に対して、ナット締着具１０の切削係合突起１２，１３を座金付きナット２０の貫通係合部２３，２４に挿入係合すると共に、回転基盤部１１の下面に座金部２１の上面を当接させることによって、座金部２１を回転基盤部１１の装着領域に装着する（図２（ａ）、（ｂ）参照）。
【００３５】
なお、座金付きナット２０は、筒状ナット部２２をボルト部３２ａに螺着させてから、座金部２１をナット締着具１０の回転基盤部１１に装着させる必要は必ずしも無く、例えば、ナット締着具１０の回転基盤部１１に取り付けられた磁石を介して、回転基盤部１１の下面に座金部２１の上面を当接させると共に、切削係合突起１２，１３を貫通係合部２３，２４に挿入係合させて、座金部２１をナット締着具１０に予め装着してから、座金付きナット２０をナット締着具１０と共に回転させつつ土台３１の貫通穴３１ａに向けて押し込むことで、筒状ナット部２２をアンカーボルト３２のボルト部３２ａに螺着させることもできる。
【００３６】
貫通係合部２３，２４に挿入係合された切削係合突起１２，１３は、回転基盤部１１の下面に座金部２１の上面が当接するまで挿入された際に、先端の切削刃１２ａ，１３ａを、座金部２１の下面から下方に突出させることになる。これによって、座金付きナット２０をナット締着具１０と共に回転させつつ土台３１の貫通穴３１ａに向けてさらに押し込むことで、切削刃１２ａ，１３ａによって土台３１の上面を切削しながら、筒状ナット部２２をアンカーボルト３２のボルト部３２ａにさらに螺着させてゆくことが可能になる（図２（ｂ）参照）。
【００３７】
座金付きナット２０をナット締着具１０と共に回転させつつ、筒状ナット部２２をボルト部３２ａにさらに螺着させてゆくことで、座金付きナット２０とナット締着具１０とは、切削刃１２ａ，１３ａによって土台３１の上面を切削しながら、下方に移動して行くことになる。ナット締着具１０の下方への移動によって、ナット締着具１０の当接凸部１５が土台３１の上面に当接すると、ナット締着具１０の下方への移動がストップすると共に、切削係合突起１２，１３の切削刃１２ａ，１３ａによる切削によって、土台３１の上面には、当該上面から突出させない状態で座金部２１を収容するのに十分な深さの座堀部３３が形成される（図２（ｃ）参照）。
【００３８】
ナット締着具１０の当接凸部１５が土台３１の上面に当接すると共に、切削係合突起１２，１３の切削刃１２ａ，１３ａによって十分な深さの座堀部３３が形成された状態から、座金付きナット２０とナット締着具１０とを引き続き回転させて、ボルト部３２ａに筒状ナット部２２をさらに螺着させてゆくと、ナット締着具１０は、当接凸部１５を土台３１の上面に当接させつつ、回転基盤部１１の下方への移動をストップさせた状態で回転し続ける。また、座金付きナット２０は、筒状ナット部２２をボルト部３２ａにさらに螺着させながら、座金部２１の下面が座堀部３３の底面３３ａに密着するまで、下方に移動してゆく（図２（ｄ）参照）。これによって、座金付きナット２０は、座金部２１の下面の全体を座堀部３３の底面３３ａに安定した状態で隙間なく密着させて、土台３１の上面に形成された座金部２１に、強固に締着されることになる。またこれによって、座金付きナット２０を介してボルト部３２ａの先端が座堀部３３に締着されたアンカーボルト３２に、十分な引張り力を付与することが可能になる。
【００３９】
座金付きナット２０の座金部２１を、土台３１の上面の座堀部３３に締着させたら、座金部２１の貫通係合部２３，２４から切削係合突起１２，１３を引き抜いて、ナット締着具１０を座金付きナット２０から取り外す。切削係合突起１２，１３を引き抜く際に、ナット締着具１０に引き続き回転力を加えることで、座金付きナット２０をアンカーボルト３２のボルト部３２ａに増し締めして、座金付きナット２０を座金部２１にさらに強固に締着させることが可能になる。
【００４０】
これらによって、本実施形態のナット締着具１０や座金付きナットの締着方法によれば、土台３１上面に形成された座堀部３３に座金付きナット２０を締着させた際に、座堀部３３の底面３３ａと座金部２１の下面とを隙間なく密着させることを可能にして、アンカーボルト３２に十分な引張り力を付与することが可能になる。
【００４１】
図４は、ナット締着具１７の他の好ましい形態を例示するものである。図４に示すナット締着具１７では、回転基盤部１８は、座金付きナット２５の座金部２６よりも一回り小さな平面形状を備えるように形成されており、当接凸部１９は、回転基盤部１８よりも外側に張り出した状態で設けられている。また図４に示す形態では、座金付きナット２５の座金部２６の下面は、下方に向けて扁平な円錐形状となるように突出する、テーパー形状の下面となっている。座堀部３４に、座金部２６のテーパー形状の下面に対応させたテーパー形状の底面３４ａを、効率良く形成できるように、切削係合突起１８ａ，１８ｂが設けられた回転基盤部１８の下面もまた、テーパー形状の下面となっている。
【００４２】
図４に示すナット締着具１７によれば、上記実施形態のナット締着具１７と同様の作用効果を奏する他、回転基盤部１８が、座金付きナット２５の座金部２６よりも一回り小さな平面形状を備えていることで、切削係合突起１８ａ，１８ｂによる切削で生じた座堀屑を排出し易くなる。
【００４３】
図５は、本発明の他の好ましい座金付きナットの締着方法を例示するものである。図５に示す締着方法では、ナット締着具５１が連結される、ナット締着具５１を回転駆動させる回転工具５０に、これの外周面から延設して、回転基盤部５２の下方への移動をストップさせるストッパー部５３が設けられている。そして、座金付きナット５４の座金部５５が土台５６の表面から突出しなくなる深さまで、切削係合突起５７の切削刃５７ａによって土台５６の表面を切削して座堀部５８を形成した後に、回転工具５０の外周面から延設して取り付けられたストッパー部５３を、土台５６の表面に当接させることで、回転基盤部５２の下方への移動をストップさせるようになっている。
【００４４】
図５に示す座金付きナットの締着方法によれば、上記実施形態の締着方法と同様の作用効果を奏する他、ストッパー部５３を、回転させることなく土台５６の表面に当接させて、回転基盤部５２の下方への移動をストップすることができるので、さらに安定した状態で、座金付きナット５４の座金部５５を座堀部５８に締着させることが可能になる。
【００４５】
なお、本発明は上記実施形態に限定されることなく種々の変更が可能である。例えば、座金付きナットの座金部が締着される木製構造材は、土台である必要は必ずしも無く、梁や柱等の、その他の種々の骨組み構造を形成する構造材であっても良い。また、筒状ナット部が螺着される緊結ボルトは、アンカーボルトの他、羽子板ボルト等の、その他の種々の緊結ボルトであっても良い。さらに、回転基盤部の下面部における、座金部の装着領域の外周部分から下方に突出して設けられた当接凸部は、壁板状の部分である必要は必ずしもなく、突起状等の部分であっても良い。
【００４６】
また、本発明の座金付きナットの締着方法は、例えば図６（ａ）〜（ｃ）に示すように、ナット締着具６０の回転基盤部６１には、当接凸部を設けることなく、切削係合突起６２のみを、座金付きナット６３の座金部６４の厚さよりも僅かに大きな長さで、回転基盤部６１の下面から下方に突出させておき、座金付きナット６３の座金部６４が土台６５の表面から突出しなくなる深さまで、切削係合突起６２の切削刃６２ａによって土台６５の表面を切削して座堀部６６を形成した後に、回転基盤部６１の下面を土台６５の表面に当接させることにより、ストッパー部として機能させて、回転基盤部６１の下方への移動をストップさせるようにすることもできる。
【符号の説明】
【００４７】
１０，１７，５１  ナット締着具
１１，１８，５２  回転基盤部
１２  第１切削係合突起
１２ａ  切削刃
１３  第２切削係合突起
１３ａ  切削刃
１４  連結係合部
１５，１９  当接凸部
１６  切欠き部分
２０，２５，５４  座金付きナット
２１，２６，５５  座金部
２２  筒状ナット部
２３  第１貫通係合部
２４  第２貫通係合部
３０  基礎
３１，５６  土台（木製構造材）
３１ａ  貫通穴
３２  アンカーボルト（緊結ボルト）
３２ａ  ボルト部
３３，３４，５８  座堀部
３３ａ，３４ａ  底面
５０  回転工具
５３  ストッパー部
５７  切削係合突起
５７ａ  切削刃
【図１】
2015193064.tif 000003
【図２】
2015193064.tif 000004
【図３】
2015193064.tif 000005
【図４】
2015193064.tif 000006
【図５】
2015193064.tif 000007
【図６】
2015193064.tif 000008